(57)【要約】本発明は麻酔状態の生物２に人工呼吸を施す弁全体装置に関する。吸気ガスおよび／または吸気ガス混合物を人工呼吸器ユニット３から生物２の肺と気道２ａに送り、気道に溜まったガスおよび／またはガス混合物を呼気させる弁装置４で構成される。前記弁装置４および組み合わせたセンサユニット６１，６１Ａ，６２は互いに接近して配置される。これらは人工呼吸ユニット３から管束３０の端部で接続され、前記センサユニットは前記弁装置４よりも前記生物２に近く位置される。【選択図】図１
2004512908.tif 000002
【特許請求の範囲】
【請求項１】
人工呼吸器ユニットから生物の肺と気道に吸気ガスおよび／または吸気ガス混合物を送り込み、気道に溜まったガスおよび／またはガス混合物を呼気させる弁装置と、ガス測定装置内のセンサユニットとから構成され、麻酔状態の生物の肺に人工呼吸を施す弁全体装置であって、
センサユニットは速度関係の圧力勾配を検知して吸気ガスの速度と吸気相の持続期間を測定し、
センサユニットは速度関係の圧力勾配を検知して呼気ガスの速度と呼気相の持続期間を測定し、
センサユニットはガス圧力と、時間に対する圧力変動とを測定し、
および／またはセンサユニットはガス混合物の一部を分流させてガス混合物の１つまたは複数のガス成分の存在および／または比率を測定する
弁全体装置において、
弁装置は少なくとも２つの部分で構成される弁ハウジングを有し、前記部分は端部関係の回転運動手段によって結合または分離されることを特徴とする弁全体装置。
【請求項２】
前記回転運動装置は例えば吸気ガス用管部の端部の回転軸まわりに配置されることを特徴とする請求項１に記載の弁全体装置。
【請求項３】
少なくとも１つの管部の端部は部分球の形状を有することを特徴とする請求項１または２に記載の弁全体装置。
【請求項４】
環状ガスケットが前記部分の間で部分の１つに配置され、部分球の外部形状を有することを特徴とする請求項１に記載の弁全体装置。
【請求項５】
環状ガスケットで形成される部分球は球中心の両側に位置する２つの平面で切断され、同一または異なる直径を有する小円を形成することを特徴とする請求項３または４に記載の弁全体装置。
【請求項６】
前記２つの部分の１つは、複数の管、好ましくは管を集めた１つだけの束を結合する手段に接続する溝システムを有することを特徴とする請求項１に記載の弁全体装置。
【請求項７】
前記部分の１つは前記部分の間に位置する弁膜に封止接触する蓋を有することを特徴とする請求項１または６に記載の弁全体装置。
【請求項８】
前記部分の１つは溝を閉鎖する複数の第１の結合手段を有することを特徴とする請求項１に記載の弁全体装置。
【請求項９】
前記第１の結合手段は第２の部分の第２の結合手段を囲むように構成されたことを特徴とする請求項８に記載の弁全体装置。
【請求項１０】
前記環状ガスケットは、第１および第２の結合手段が第１および第２の部分の相対運動の間で相互に軸方向に作用するような弾力性を有することを特徴とする請求項４，８または９に記載の弁全体装置。
【請求項１１】
前記部分の１つは、２つの部分が結合されるとき、第２の部分に確実にロックするロック装置が設けられたことを特徴とする請求項１に記載の弁全体装置。
【発明の詳細な説明】
【０００１】
（発明の分野）
本発明は生物に人工呼吸を施す全体装置に関し、液体麻酔薬の静脈投与によって引き起こされた麻酔状態の間に主として使用されるものである。
【０００２】
本発明による全体装置は　人工呼吸器ユニットから生物の肺と気道に吸気ガスおよび／または吸気ガス混合物を送り込み、気道に溜まったガスおよび／またはガス混合物を制御して呼気させる弁装置で構成される。
【０００３】
弁全体装置と弁装置にさらにガス測定装置に属する１つまたは複数のセンサで構成される。
そして、これらセンサのうちの１つはガス速度に関係する圧力勾配を検知して、吸気ガスの速度と吸気相の持続期間を測定する。
【０００４】
別のセンサユニットまたは前記センサはガス速度に関係する圧力勾配を検知し、呼気ガスの速度と呼気相の持続期間を測定する。
さらに別のセンサは吸気ガスおよび／または呼気ガスの圧力および／または時間関係の圧力変動を測定する。
【０００５】
さらに別のセンサは、分析のためガス混合物の一部を分流させて、ガス混合物の１つまたは複数のガス成分の存在および／または比率を測定する。
発明は、１９９９年６月３日出願の、発明の名称が「Ａｒｒａｎｇｅｍａｎｇ ｖｉｄ ｅｎ ｌｕｎｇｖｅｎｔｉｌａｔｏｒｉｓｋ ｂｅｈａｎｄｌｉｎｇ」（人工呼吸装置）であるスウェーデン特許出願９９０２０５１−３に開示された装置の改善に特に関係する。
【０００６】
（従来の技術の説明）
この種の弁全体装置はいくつかの異なる実施例によって公知であり、通常は、人工呼吸器および／または人工呼吸器ユニットに接続される。
【０００７】
人工呼吸と麻酔状態にある患者に使用される従来から公知の人工呼吸器は、人工呼吸器と患者との間に患者にガスまたはガス混合物を吸気させる第１の管と、人工呼吸器の吸気弁に接続された第２の管とを備える。
【０００８】
このように使用されるこの種の人工呼吸器はさらに、人工呼吸器と患者との間に第１の管と同一断面の第２の管を備える。第２の管は呼気ガスまたはガス混合物を患者から人工呼吸器と、管に接続された人工呼吸器の呼気弁とに送る。
【０００９】
管の端部は、吸気ガスと呼気ガスの両方が流れる通路を封止、制御するため、患者接続部に接続される。
この種の接続部は例えば気管用の管や喉頭カスクのような異なった変形物で利用される。
【００１０】
前記のように使用されるこの種の人工呼吸器において吸気弁は吸気相の始まりの期間は開にし、一方、呼気弁は吸気相の期間中は閉にしなければならない。呼気弁は呼気相の期間中は開にし、一方、吸気弁は閉にしなければならない。吸気弁と呼気弁と両方が閉となる「吸気中止」も生じる。
【００１１】
この方法では弁は吸気相および呼気相を制御するのに両方が作動され、人工呼吸器の基本ユニットに組み込まれる。したがって、吸気ガスを送る第１の管と呼気ガスを送る第２の管の２つの異なる管が人工呼吸器の基本ユニットから出てくる。
【００１２】
本発明の重要な特徴を考慮したとき、１つまたは複数のガス測定ユニットおよびこれに接続された１つまたは複数のセンサユニットは麻酔の適用において従来から知られていることが注目される。
【００１３】
このようなセンサユニットの例は（発明の分野）のところで前述した。
本発明に関連する測定も考慮に入れると、麻酔状態にない生物に人工呼吸を施すユニットを使用する分野において、人工呼吸のガス流方向の制御弁および測定装置を、ガス流およびガス圧力を評価する装置の形での必要なセンサとともに、生物または患者の付近に導入することが、例えば特許出願ＵＳ−Ａ−３９６１６２７で知られている。
【００１４】
弁の駆動機構は例えば、弁制御ユニットから制御信号を受けるサーボモータを備える。
【００１５】
（本発明の概要）
（技術的課題）
この技術分野の専門家が遭遇する１つまたは複数の技術的課題を解決するためにしなければならない技術的検討を考慮するとき、この目的のためにしなければならない対策および／または結果を実現し、また必要な手段を実現することが最初に必要となる。これを基に以下の技術的課題が本発明の展開に関係する。
【００１６】
前述の従来技術を考慮すると、技術的課題は、液体麻酔薬を静脈投与することによって引き起こされた麻酔状態にある生物に人工呼吸を施し、生物に非常に近い位置にある複数のセンサユニットと組み合わせて制御できる弁装置で構成される弁全体装置を開示することに存在すると考えられる。
【００１７】
また、技術的課題は、簡単な手段を使用することを条件として、弁全体装置と弁装置を本願でいう公知の装置よりも少ないデッドスペースのものにすることに存在すると考えられる。
【００１８】
また、技術的課題は、液薬の静脈投与によって深い麻酔状態にある患者に対し、吸気ガスまたはガス混合物が人工呼吸器から患者に送れる１つの断面で構成された１つの吸気管だけを使用して、さらに、人工呼吸器においてガスまたはガス混合物の異なる条件を決定し、人工呼吸器から人工呼吸器弁を介して弁装置の弁を制御するためのより小さい断面の複数の管を追加使用して行なえる重要性と有利性を実現することに存在すると考えられる。
【００１９】
また、技術的課題は、容易に清掃、すすぎ、および／または取り換えできる簡単ないくつかの部分から作られる弁全体装置を開発することによって得られる重要性と有利性を実現することに存在すると考えられる。
【００２０】
また、技術的課題は、弁装置を、互いに回転運動装置に取り付けられた２つの部分にされて、センサユニットを収納する弁ハウジングで構成することで得られる重要性と有利性を実現することに存在すると考えられる。これらの部分はこの回転運動手段によって結合または分離される。
【００２１】
技術的課題は、前記回転運動装置を端部に向かう弁ハウジングの回転軸のまわりに配置することによって得られる重要性と有利性を実現することに存在すると考えられる。
【００２２】
技術的課題は、端部に向かう回転軸のまわりの領域をガスの通路と弾力性のある環状ガスケットで構成することによって得られる重要性と有利性を実現することに存在すると考えられる。
【００２３】
技術的課題は、部分の間に弾力性のある環状ガスケットを使用することによって得られる重要性と有利性を実現することに存在すると考えられる。このガスケットは部分の１つに装着され、部分球の形状をする。
【００２４】
技術的課題は、球中心の両側に位置する２つの平面で部分球に切断し、同一または異なる直径の小円を形成することによって得られる重要性と有利性を実現することに存在すると考えられる。
【００２５】
技術的課題は、前記２つの部分の１つが、好ましくは１つの管束に配置された複数の管の結合手段に結合する溝システムを含むことによって得られる重要性と有利性を実現することに存在すると考えられる。
【００２６】
技術的課題は、結合手段の開口を前記２つの部分の１つの、第１の開口と接続するように溝システムを向けることによって得られる重要性と有利性を実現することに存在すると考えられる。
【００２７】
技術的課題は、前記部分の１つに蓋を設け、弁膜の周囲領域に対して封止することによって得られる重要性と有利性を実現することに存在すると考えられる。
技術的課題は、前記部分の１つにいくつかの溝システムの第１の結合手段を備え、好ましくは中間ガスケットで２部分結合装置に１列に配置することによって得られる重要性と有利性を実現することに存在すると考えられる。
【００２８】
技術的課題は、１つの部分の前記第１の結合手段は同一の結合全体装置の第２の部分の第２の結合手段を囲むことによって得られる重要性と有利性を実現することに存在すると考えられる。
【００２９】
技術的課題は、弾力性のある前記環状ガスケットを使用して，結合装置の第１および第２の手段で第１の部と第２の部との間でカムに案内された相対運動をするときに結合させることによって得られる重要性と有利性を実現することに存在すると考えられる。
【００３０】
技術的課題は、前記２つの部分の１つに第１の部分が確実に第２の部分にロックするよう１つまたは２つのクランプなどのロック手段を設けることによって得られる重要性と有利性を実現することに存在すると考えられる。
【００３１】
（解決策）
１つまたは複数の前記技術的課題を解決するにあたって、本発明は麻酔状態にある生物に人工呼吸を施す弁全体装置を出発点とする。弁全体装置は、吸気ガスおよび／または吸気ガス混合物を人工呼吸器ユニットから生物の肺と気道に送り込み、気道に溜まったガスおよび／またはガス混合物を呼気させる弁装置と、ガス測定装置の１つまたは複数のセンサユニットとから構成され、センサユニットの１つは吸気ガスの速度と吸気相の持続期間を測定するため速度関係の圧力勾配を検知するようになっている。
【００３２】
別のまたは同一のセンサユニットの１つは速度関係の圧力勾配を検知して、呼気ガスの速度と呼気相の持続期間を測定する。
第２のセンサはガス圧力と時間に対する圧力変動とを測定する。
【００３３】
１つのセンサはガス分析のためガス混合物の一部を分流させて、ガス混合物の１つまたは複数のガス成分の存在および／または比率を測定する。
１つまたは複数の前記技術的課題を解決するにあたって、本発明の提案によると、前記弁装置は２つの部分からなる弁ハウジングで構成される。これら２つの部分は端部関係の回転運動手段によって結合または分離される。
【００３４】
また、発明概念の範囲内にある実施例に示すように、前記回転運動装置は例えば吸気ガス用管部の端部の回転軸まわりに配置することも提案される。
さらに、管部の端部は部分球の形状にすることが提案される。環状ガスケットが部分の１つに配置され、部分球に相当する外部形状を有することが提案される。
【００３５】
さらに、部分球は球中心の両側に位置する２つの平面で切断され、同一または異なる直径を有する小円を形成することが提案される。
さらに、前記２つの部分の１つは、複数の管、好ましくは管が配置された１つだけの束と相互作用をする溝システムで構成されることが提案される。
【００３６】
さらに、前記部分の１つは弁膜と封止作用をする蓋を備えることが提案される。
前記部分の１つは溝を閉鎖して溝を結合する複数の第１の結合手段を有し、前記第１の結合手段は第２の部分の第２の結合手段を囲み、これによって結合装置が共同で形成される。
【００３７】
また発明によると、弾力性を有する環状ガスケットを使用することで、第１および第２の結合手段が第１および第２の部分間でカムに案内された相対軸方向運動の間で結合される。
【００３８】
また発明によると、前記部分の少なくとも１つは、２つの部分をともにロックして第２の部分へのロックを確実に達成するクランプのような装置が設けられる。
【００３９】
（有利性）
本発明による人工呼吸の全体装置で主として得られる有利性は弁装置とセンサユニット配列を効果的に調整させ得る特徴を備えたことにあり、そのため好ましくは接続部を使用した生物の近くに置くことができることである。また、人工呼吸器ユニットと、液体麻酔薬を静脈投与をされる生物や患者との間に１つだけの呼吸ガス用管の使用が可能になり、このことで呼気ガスが生物から弁装置を介して生物のごく近辺で外部に放出され、人工呼吸器が呼気ガスで汚染されることがなくなる。
【００４０】
また、間違って結合する危険性が除去される特殊な形状の結合手段および結合装置が設けられる。また、相互作用する部分は清掃が容易で、かつ部分の弁膜は容易に取り換えることができる。
【００４１】
本発明による弁全体装置の主な特徴は請求項１の特徴部に記載される。
【００４２】
（本発明の実施例の説明）
生物の人工呼吸に使用する本発明の弁装置について付帯する図面を参照して詳細に述べる。
【００４３】
図１に本発明による弁装置４を有する弁全体装置１の使用原理を示す。
弁全体装置１は生物２の人工呼吸に使用するようになっている。
人工呼吸は液体麻酔薬を患者２の血液に静脈投与することで引き起こされる麻酔状態の間に行われる。
【００４４】
この状態で、人工呼吸器ユニット３の使用が必要とされ、またいろいろな治療および診断の条件が点検される。
発明によると、１つの管または管束３０のみが人工呼吸器ユニット３から出される。実施例では弁全体装置１に平行に結合された２本の管として示された１つの管、すなわち吸気管３ａは比較的大きな断面を有する。
【００４５】
治療および／または診断の条件を評価する必要な手段を有するユニット３はスウェーデン特許出願９９０１６８８−３に開示および教唆されるように構成することができる。
【００４６】
したがって前記特許出願の内容は本出願の内容の一部とみなされる。
本発明による弁全体装置１は弁装置４で構成される。この弁装置は吸気ガスおよび／または吸気ガス混合物を人工呼吸器ユニット３から生物２の気道２ａに送り、気道の正圧に保たれたガスおよび／またはガス混合物を呼気するようになっている。
【００４７】
吸気ガスは純粋な空気、多少の酸素を追加混合された空気、単独の酸素、および／またはこれらに添加剤を添加したもので構成される。
吸気ガスは管３ａに次いで、管３ｂの短い部分、弁全体装置１、弁装置４および管３ｃの短い部分を通り、接続部５を通して気道２ａに入り、肺の中まで下っていく。
【００４８】
この一連の流れの間では、弁装置４の弁４０は管１４’、結合手段１００および溝１４を介してユニット３からくる圧力によって閉鎖が維持される。
気道２ａに保持された吸気ガスが肺で使用されたときは、呼気ガスが前記接続部５および管部分３ｃを通り、弁装置４の弁４０によって出口４ａを通って外に放出される。
【００４９】
人工呼吸器ユニット３の吸気弁３ｅは閉じているので、呼気ガスが前記の経路をたどって呼気ガスが管部分３ｂ、管部分３ａを通ってユニット３に入りこむのが防止される。弁４０の圧力はこの経過の間にまたは呼気相の間に解除される。
【００５０】
吸気相の間では、ユニット３で弁３ｆを介し、予め設定した最大圧力で管１４’に圧力をかけることによって弁装置４を圧力逃がし装置として使用するような方法で、弁装置４は制御される。この方法で例えば６０−１２０ｃｍ水頭圧で圧力逃がし弁が作動される。
【００５１】
弁装置４は呼気相の間に管１４’を減圧することによって、低い正の圧力、すなわち、例えば０−３０ｃｍ水頭圧のＰＥＥＰ圧力を作り出すようにもなっている。
【００５２】
図３では符号５０で示される弁全体装置１および弁装置４は、ユニット３のガス測定装置のセンサユニット、または第２の部分５２の管部分５２ａの複数のセンサユニットで構成されるセンサユニット配列６を有する。１つまたは複数のガス測定ユニットはブロック６ａで示すように人工呼吸器ユニット３に組み込むと有利である。
【００５３】
センサユニット配列６はブロック６ａの関連ガス測定ユニットとともに複数の公知の調整統合されたセンサユニットを構成する。
図３による実施例は、第２の部分の管部５２ａ内の測定室６０で前記センサユニット配列６を形成するように複数のセンサを組み合わせる可能性を示している。
【００５４】
センサユニット配列６と測定室６０は複数のセンサユニットを組み込んで調整される。
次にこのような組合せの一例を説明する。
【００５５】
１つのセンサ６１でガス速度関係の圧力勾配を検知することによって、吸気ガスの速度および呼気相の持続時間を測定することができる。
これは、結合装置７０の結合手段７１，７２を介して第１の部分５１の溝１０，１１に接続し互いに対向する開口６１，６１ａとして図示され、溝は結合手段１００を介して管１０’、１１’に接続される。
【００５６】
１方向（３ｂ−３ｃ）のガス流によって溝１０の圧力は増加し、溝１１の圧力は減少し、そして瞬間の圧力勾配によって瞬間のガス速度が測定できると考えられる。
【００５７】
別のセンサユニット６１，６１ａでガス速度関係の圧力勾配または瞬間の圧力値および／または時間に対する圧力変動を検知することによって、呼気ガスの速度および呼気相の持続期間を測定することができる。
【００５８】
追加のセンサ６２で溝１２および管１２’を介してガス圧力および／または時間に対する圧力変動を測定することができる。
溝１２および管１２’を介してガスサンプリングおよび／または圧力測定をすることができる。
【００５９】
センサユニット６２は、ガス混合物の一部を分析のために溝１２および管１２’に分流させることによって１つまたは複数のガス成分の存在および／または比率を主として測定することができる。
【００６０】
したがって、センサ６１，６１ａ，６２は速度、圧力、サンプリングガスなどを測定する測定室６０に配列される。
数値の形で受け取られ、溝１０，１１および１２を介して検知され、管１０’、１１’および１２’に接続された測定値およびガス混合物の一部は溝１２および管１２’を介して、治療および／または診断の条件を評価する必要な手段と装置が含まれるユニット３に送られる。
【００６１】
本発明の概念は前記弁装置５０（４）が第１の上方部分５１と第２の下方部分５２の２つの部分とで構成されることに基いている。前記第２の部分５２の前記測定室６０にはセンサユニット配列６の組合せが含まれ、配列は互いに接近して配置される。
【００６２】
管３ａは、図２および３に示すように管束内の２つの管１５ａ’および１５ｂ’を使用して結合手段１００によって溝１５に接続される。前記溝１５によって弾力性のあるガスケット５５と第２の部分５２の管部分５２ａを通って空気流が送られる。
【００６３】
管束およびその中の管は例えば、人工呼吸器ユニット３から吸気ガスを送る管３ａの端部３ａ’に接続される。また前記センサユニット配列６は前記弁装置よりも生物２に近い位置に置かれる。
【００６４】
図３に示すように、前記弁装置４および前記センサユニット配列６は１つのユニットに統合され、符号５０が付されている。
図１に示すように、管束３０は弁装置４とユニット３との間に配置される。
【００６５】
管束３０は、互いに接するか分離し、大断面の吸気ガス管３ａが支配的となる複数の個々の管から構成される。
すべての管は、図２および使用される結合手段１００を見れば明らかとなる方法で統合される（または束ねられる）ことを主として提案する。
【００６６】
管１５ａ’および１５ｂ’は吸気管（３ａ）を構成し、管１４’は呼気弁４０を制御する管であり、管１０’および１１’はそれぞれ流れを測定するためのものであり、また管１２’は二酸化炭素などのガスをサンプリングして測定するためのものであることを示している。
【００６７】
図２は第１の部分５１の結合手段１００を示し、示された管は明らかに対応する結合手段（図示しない）に接続される。
したがって、提案を適用するには分離した５つの管断面が必要となり、測定室６０でセンサユニット６１，６２および６３は組み合わせられる。これらの断面はそれぞれ装置５０の第１の部５１の溝１０，１１，１２，１４および１５に接続される。
【００６８】
溝１０および１１は、吸気ガスの速度、吸気相の持続期間、呼気ガスの速度、および呼気相の持続期間を測定するために測定室６０に接続され、両溝は反対方向の流れが測定できるように配置される。
【００６９】
溝１４は、２または３個の弁を対象にし、変動する正の圧力を人工呼吸器ユニット３で発生させるようになっている。これは、管部分５２の正の圧力を基準に予め設定したいくつかの正の圧力であり、これによって弁４０が開く。
【００７０】
発明による弁装置５０は第１の部分５１と第２の部分５２との２つの部分で構成される。この２つの部分５１，５２は回転運動手段によって、図３に示すように結合され、また図４に示すように分離される。
【００７１】
回転運動は回転軸５３まわりで行われるが、この回転軸５３は例えば吸気ガス用の管部分５２ａの端部に配置される。
図５に示すように、参照符号５４ａを付した管部分の端部の内部は部分球の内部に形成され、この部分球が内部領域５４ｂを形成する。
【００７２】
環状ガスケット５５が部分５１および５２の間で１つの部分５１に配置され、部分球のような外部形状５５ａを有する。
部分球５４ａと部分球５５ａは、球中心またはいずれかの側に位置する２つの平面で切断され、同一または異なる直径の小円を形成する。
【００７３】
１つの部分５１にある環状蓋５８によって弁４０の膜４０ａの円周領域４０ｄが封止される。
膜４０ａはカップ形状をして平坦な下部面４０ｃと周囲領域４０ｅを有し、下部面４０ｃの上方の圧力が下部面４０ｃの下方の圧力を超えると、狭い環状の座４０ｂで封止が形成される。
【００７４】
結合装置７０の第１の部分５１には複数の第１の溝閉鎖手段７１があり、第２の部分５２には複数の第２の結合手段があり、前記第１の結合手段７１は第２の部分５２の第２の結合手段７２を囲むようになっている。
【００７５】
第２の部分５２には、直線状中心線５２ａ’の上方に位置し、距離７０ｅ離れて管部分５２ａに垂直なひざ部７０ｄを有するカム輪郭７０ｃを備え、第１の部分５１には案内フランジ７０ｆを備える。
【００７６】
第１の部分５１と第２の部分５２が完全に結合されるときは、案内フランジ７０ｆはカム輪郭７０ｃにしたがって前記ひざ部７０ｄを通過し、距離７０ｅの線で結合する。これによって溝領域の管部分が第２の部分５２の対向する管部分に平行状態で接続する。
【００７７】
弾力性のある環状ガスケット５５でこの相対運動が吸収される。
図６に示す平面ガスケット７２ａは結合装置７０の２つの結合手段７１，７２を封止するのに使用される。
【００７８】
管５２ａの管領域５２ａ’にある前記環状ガスケット５５の弾力性、特に厚さは、第１の部分５１と第２の部分５２が相対運動をするとき、第１および第２の結合手段７１，７２が軸方向に接続できるようにする。
【００７９】
また図に示すように、前記部分の１つ、すなわち第１の部分５１には、第２の部分５２に確実に接続するための１つまたは複数のクランプ５６などのロック機構が設けられる。
【００８０】
図７で分かるように、中心「Ｏ」を通る平面Ｐ１で球を切断して球の１部の領域５４ｂが形成されて、大円「Ｃ１」が形成され、一方平面Ｐ２で小円「Ｃ２」が形成される。
【００８１】
領域５５ａを有する部分球を形成するガスケット５５は平面Ｐ３で小円Ｃ３の形に形成され、小円Ｃ２および小円Ｃ３は平面Ｐ１または大円Ｃ１の両側に位置する。
【００８２】
しかし、小円Ｃ３を有する平面Ｐ３は平面Ｐ１を通る大円Ｃ１の近くに位置する必要があることに注意されるべきである。
図８は発明による弁装置４の分解図であり、５つの部品（ガスケット７２ａは除く）が示される。対応する同じ部品には今までの図面の部品と同一の符号を付している。
【００８３】
図８に示すように１つの部分５１は補完的に結合された２つの部分５１ｄと５１ｅで構成される。
注目すべきことに、いくつかの穴４０２を封止し、座４０３で管に取り付けられた膜４０１を有する弁４００が図４に任意に示される。この弁４００は必要なときに使用される。
【００８４】
本発明は前記実施麗に限定されるものではなく、また特許請求の範囲に記載された発明概念の範囲内で変更することは可能であると理解される。
【図面の簡単な説明】
【図１】口と鼻の領域に、弁装置とセンサ配列組合せを装着したフェースマスクの形で接続部が使用される、本発明による生物の側面図である。
【図２】人工呼吸器ユニットから管束を接続する装置結合手段の斜視図である。弁装置と人工呼吸器ユニットの間の管束の断面が明瞭に表示される。
【図３】回転する２つの相互作用部が完全に結合した場合の本発明による弁装置の側部断面の斜視図である。
【図４】図３において回転する２つの相互作用部が分離した場合の弁装置の側部断面の斜視図である。
【図５】第１の部分の端部と第２の部分の対応する端部との相互作用関係を図４に比べて多少拡大して示す。
【図６】図３に示す結合前の位置における結合装置の第１および第２の結合手段を示す。
【図７】本発明に重要な形状の弾力性を有する環状ガスケットを説明するため２つの平面で切断された球を示す。
【図８】弁装置の分解図である。
【国際公開パンフレット】
2004512908.tif 000003
2004512908.tif 000004
2004512908.tif 000005
2004512908.tif 000006
2004512908.tif 000007
2004512908.tif 000008
2004512908.tif 000009
2004512908.tif 000010
2004512908.tif 000011
2004512908.tif 000012
2004512908.tif 000013
2004512908.tif 000014
2004512908.tif 000015
2004512908.tif 000016
2004512908.tif 000017
2004512908.tif 000018
2004512908.tif 000019
2004512908.tif 000020
2004512908.tif 000021
【国際調査報告】
2004512908.tif 000022
2004512908.tif 000023